(57)【要約】【課題】付着した糊を用紙が乗り越えやすくなり、ジャムが生じるのを抑制することを可能にする。【解決手段】給送装置６０は、複数の用紙Ｐを積層方向下方から支持する第１支持面６１と、複数の用紙Ｐのうち最も上方に配置された用紙Ｐを給送する給送部６３と、第１支持部６１に支持された複数の用紙Ｐの給送方向の下流端部と当接しつつ用紙Ｐを支持可能な第２支持面６２ａと、給送部６３によって給送された用紙Ｐを案内する案内面６２ｂと、案内面６２ｂに設けられた分離部６９とを含む。第２支持面６２ａは、第１支持面６１ａと案内面６２ｂとの間に設けられ、第１支持面６１ａとでなす鈍角が第１支持面６１ａと案内面６２ｂとでなす鈍角よりも大きくなるように配置されている。【選択図】図３
2020055654.tif 000002
【特許請求の範囲】
【請求項１】
積層された複数の記録媒体を積層方向下方から支持可能な第１支持面と、
前記第１支持面に支持された複数の記録媒体のうち最も上方に配置された記録媒体を給送する給送部と、
前記給送部によって給送された記録媒体を案内する案内面であって前記給送部によって給送された記録媒体が重送したときに記録媒体を分離させるための分離部が設けられた前記案内面とを備えた給送装置において、
記録媒体の給送方向において、前記第１支持面と前記案内面との間に配置され、前記第１支持面に支持された複数の記録媒体の前記給送方向の下流端部と当接しつつ記録媒体を支持可能な第２支持面を備えており、
前記第１支持面と前記第２支持面とでなす鈍角が、前記第１支持面と前記案内面とでなす鈍角よりも大きいことを特徴とする給送装置。
【請求項２】
前記第２支持面は、前記給送方向において、下流側端部が上流側端部よりも下方となるように傾斜していることを特徴とする請求項１に記載の給送装置。
【請求項３】
前記第１支持面に支持された複数の記録媒体の前記給送方向の下流端部と当接可能な当接面を有し、記録媒体の前記給送方向への移動を規制するための規制部材と、
前記当接面と前記第１支持面とがなす鈍角が前記第１支持面と前記案内面とがなす鈍角よりも小さくなるように前記当接面の少なくとも一部が前記案内面よりも上方に突出し記録媒体の前記給送方向への移動を規制する規制位置と前記当接面が前記案内面よりも上方に突出しない退避位置との間において前記規制部材を移動させる移動機構とをさらに備えていることを特徴とする請求項１又は２に記載の給送装置。
【請求項４】
前記分離部は、前記給送方向と直交する方向において、前記案内面の中央に配置されていることを特徴とする請求項１〜３のいずれか１項に記載の給送装置。
【請求項５】
前記第１支持面は、前記直交する方向において、積層された記録媒体の中央が両端よりも下方に近づいて湾曲するように構成されていることを特徴とする請求項４に記載の給送装置。
【請求項６】
内部に搬送経路を有する装置筐体と、
前記搬送経路において記録媒体を搬送する搬送部と、
前記搬送部によって搬送されてきた記録媒体に画像を記録する記録部と、
前記装置筐体に固定され、前記搬送経路の途中部位から当該搬送経路に記録媒体を給送する給送装置とを備えた画像記録装置において、
前記給送装置は、
積層された複数の記録媒体を積層方向下方から支持可能な第１支持面と、
前記第１支持面に支持された複数の記録媒体のうち最も上方に配置された記録媒体を給送する給送部と、
前記給送部によって給送された記録媒体を案内する案内面であって前記給送部によって給送された記録媒体が重送したときに記録媒体を分離させるための分離部が設けられた前記案内面と、
記録媒体の給送方向において、前記第１支持面と前記案内面との間に配置され、前記第１支持面に支持された複数の記録媒体の前記給送方向の下流端部と当接しつつ記録媒体を支持可能な第２支持面とを備えており、
前記第１支持面と前記第２支持面とでなす鈍角が、前記第１支持面と前記案内面とでなす鈍角よりも大きいことを特徴とする画像記録装置。
【発明の詳細な説明】
【技術分野】
【０００１】
本発明は、記録媒体を給送するための給送装置及び記録媒体に画像を記録するための画像記録装置に関する。
【背景技術】
【０００２】
特許文献１には、複数のシート（記録媒体）を積載可能なシート積載面と、シート積載面に積載された複数のシートのうち、最も上方にあるシートを給送する給紙ローラと、シート積載面に積載された複数のシートの給送方向の下流端部を支持するとともに給紙ローラによって給送されるシートを分離させるための分離斜面とを含む給紙装置について記載されている。
【先行技術文献】
【特許文献】
【０００３】
【特許文献１】特開２００３−１７１０２７号公報
【発明の概要】
【発明が解決しようとする課題】
【０００４】
上記特許文献１に記載の給紙装置においては、分離斜面がシート積載面に積載された複数のシートの給送方向の下流端部を支持しているため、及び、搬送時にシートに当接するため、給送するシートとして、例えば、上質紙などの表面基材の裏面に糊（粘着剤）を介して剥離紙が貼り付けられてなるラベル紙（記録媒体）を採用した場合、分離斜面に表面基材と剥離紙間からはみ出た糊が付着することがある。このようにラベル紙の糊が分離斜面に付着した状態で、シートの給送を行うと、シートの先端が糊に引っかかってジャムが生じやすくなるという問題がある。
【０００５】
本発明の目的は、付着した糊を記録媒体が乗り越えやすくなり、ジャムが生じるのを抑制することが可能な給送装置及び画像記録装置を提供することである。
【課題を解決するための手段】
【０００６】
本発明の給送装置は、積層された複数の記録媒体を積層方向下方から支持可能な第１支持面と、前記第１支持面に支持された複数の記録媒体のうち最も上方に配置された記録媒体を給送する給送部と、前記給送部によって給送された記録媒体を案内する案内面であって前記給送部によって給送された記録媒体が重送したときに記録媒体を分離させるための分離部が設けられた前記案内面とを備えた給送装置において、記録媒体の給送方向において、前記第１支持面と前記案内面との間に配置され、前記第１支持面に支持された複数の記録媒体の前記給送方向の下流端部と当接しつつ記録媒体を支持可能な第２支持面を備えている。そして、前記第１支持面と前記第２支持面とでなす鈍角が、前記第１支持面と前記案内面とでなす鈍角よりも大きい。
【０００７】
これによると、第１支持面と第２支持面とでなす鈍角が比較的大きいため、記録媒体と第２支持面とでなす角度が小さくなる。このため、記録媒体として、例えば、複数のラベル紙が給送装置にセットされ、第１支持面に支持されたラベル紙の糊が第２支持面に付着したとしても、給送される記録媒体（ラベル紙）に対する摩擦抵抗が小さくなって付着した糊を記録媒体が乗り越えやすくなり、ジャムが生じるのを抑制することが可能となる。
【０００８】
本発明において、前記第２支持面は、前記給送方向において、下流側端部が上流側端部よりも下方となるように傾斜していることが好ましい。これにより、第２支持面に糊が付着していても、当該糊を記録媒体が乗り越えやすくなり、ジャムが生じるのをより抑制することが可能となる。
【０００９】
また、本発明において、前記第１支持面に支持された複数の記録媒体の前記給送方向の下流端部と当接可能な当接面を有し、記録媒体の前記給送方向への移動を規制するための規制部材と、前記当接面と前記第１支持面とがなす鈍角が前記第１支持面と前記案内面とがなす鈍角よりも小さくなるように前記当接面の少なくとも一部が前記案内面よりも上方に突出し記録媒体の前記給送方向への移動を規制する規制位置と前記当接面が前記案内面よりも上方に突出しない退避位置との間において前記規制部材を移動させる移動機構とをさらに備えていることが好ましい。これにより、第１支持面に支持された複数の記録媒体が第２支持面から案内面に向かってずり落ちるのを抑制することが可能となる。
【００１０】
また、本発明において、前記分離部は、前記給送方向と直交する方向において、前記案内面の中央に配置されていることが好ましい。これにより、記録媒体の重送を効果的に抑制することが可能となる。
【００１１】
また、本発明において、前記第１支持面は、前記直交する方向において、積層された記録媒体の中央が両端よりも下方に近づいて湾曲するように構成されていることが好ましい。これにより、給送された記録媒体の直交する方向の中央が分離部に当接しやすくなって、記録媒体の重送をより一層効果的に抑制することが可能となる。
【００１２】
また、本発明の画像記録装置は、内部に搬送経路を有する装置筐体と、前記搬送経路において記録媒体を搬送する搬送部と、前記搬送部によって搬送されてきた記録媒体に画像を記録する記録部と、前記装置筐体に固定され、前記搬送経路の途中部位から当該搬送経路に記録媒体を給送する給送装置とを備えた画像記録装置において、前記給送装置は、積層された複数の記録媒体を積層方向下方から支持可能な第１支持面と、前記第１支持面に支持された複数の記録媒体のうち最も上方に配置された記録媒体を給送する給送部と、前記給送部によって給送された記録媒体を案内する案内面であって前記給送部によって給送された記録媒体が重送したときに記録媒体を分離させるための分離部が設けられた前記案内面と、記録媒体の給送方向において、前記第１支持面と前記案内面との間に配置され、前記第１支持面に支持された複数の記録媒体の前記給送方向の下流端部と当接しつつ記録媒体を支持可能な第２支持面とを備えている。そして、前記第１支持面と前記第２支持面とでなす鈍角が、前記第１支持面と前記案内面とでなす鈍角よりも大きい。
【００１３】
これによると、第１支持面と第２支持面とでなす鈍角が比較的大きいため、記録媒体と第２支持面とでなす角度が小さくなる。このため、記録媒体として、例えば、複数のラベル紙が給送装置にセットされ、第１支持面に支持されたラベル紙の糊が第２支持面に付着したとしても、給送される記録媒体（ラベル紙）に対する摩擦抵抗が小さくなって付着した糊を記録媒体が乗り越えやすくなり、ジャムが生じるのを抑制することが可能となる。
【発明の効果】
【００１４】
本発明の給送装置及び画像記録装置によると、第１支持面と第２支持面とでなす鈍角が比較的大きいため、記録媒体と第２支持面とでなす角度が小さくなる。このため、記録媒体として、例えば、複数のラベル紙が給送装置にセットされ、第１支持面に支持されたラベル紙の糊が第２支持面に付着したとしても、給送される記録媒体（ラベル紙）に対する摩擦抵抗が小さくなって付着した糊を記録媒体が乗り越えやすくなり、ジャムが生じるのを抑制することが可能となる。
【図面の簡単な説明】
【００１５】
【図１】本発明の一実施形態に係るプリンタの内部構造を示す概略側面図である。
【図２】図１に示すII−II線に沿った矢視図である。
【図３】（ａ）は図１に示す規制部材が規制位置にあるときの状況を示す説明図であり、（ｂ）は規制部材が退避位置にあるときの状況を示す説明図である。
【図４】図１に示すプリンタの制御装置のブロック図である。
【発明を実施するための形態】
【００１６】
以下、本発明の一実施形態に係るプリンタについて説明する。プリンタ（画像記録装置）１は、図１に示すように、複数の用紙（記録媒体）Ｐを積載して収容可能な給紙トレイ１０と、給紙トレイ１０に収容された複数の用紙Ｐのうち最上層の用紙Ｐを搬送経路Ｒに沿って搬送する搬送部２０と、用紙Ｐに記録を行う記録部３０と、記録部３０と対向するプラテン４０と、搬送部２０によって搬送された用紙Ｐを受容する排紙トレイ５０と、これらの構成要素を収容する装置筐体２と、装置筐体２に設けられた給送装置６０と、搬送部２０、記録部３０、給送装置６０等を制御する制御装置１００とを含む。記録部３０は、例えば、インクジェット記録方式の構成を有し、制御装置１００の制御により、搬送部２０によって搬送されてきた用紙Ｐに画像を記録する。プラテン４０は、搬送部２０によって搬送されてきた用紙Ｐを下方から支持する。
【００１７】
搬送部２０は、図１に示すように、給紙トレイ１０に収容された複数の用紙Ｐのうち最上層の用紙Ｐと接触するように配置された給紙ローラ１１と、アーム１２と、記録部３０に対して搬送経路Ｒの上流に配置されたローラ対２１と、記録部３０に対して搬送経路Ｒの下流に配置されたローラ対２２とを含む。給紙ローラ１１は、アーム１２の先端に軸支されている。アーム１２は、支軸１２ａに回動自在に支持され、バネなどにより付勢されて給紙ローラ１１が給紙トレイ１０に接触するように下側へ回動されている。また、アーム１２は、給紙トレイ１０の挿抜の際に上方へ退避可能に構成されている。給紙ローラ１１は、伝達機構（不図示）を介してＡＳＦモータ１３Ｍ（図４参照）の動力が伝達されて回転し、給紙トレイ１０内に積載された用紙Ｐが、搬送経路Ｒへと給送される。
【００１８】
給紙トレイ１０は、図１に示すように、斜壁部１０ａを有する。斜壁部１０ａは、給紙トレイ１０に載置される用紙Ｐが給紙ローラ１１によって給送されるときに、用紙Ｐを搬送経路Ｒに案内する。
【００１９】
ローラ対２１は、下側に配置された搬送ローラ２１ａと上側に配置されたピンチローラ２１ｂとを有する。搬送ローラ２１ａは、伝達機構（不図示）を介してＬＦモータ２１Ｍの動力が伝達されて回転する。ピンチローラ２１ｂは、搬送ローラ２１ａの回転に伴って連れ回る。搬送ローラ２１ａとピンチローラ２１ｂとは、協働して用紙Ｐを上下方向Ｂから挟持し、用紙Ｐを記録部３０へ搬送する。
【００２０】
ローラ対２２は、下側に配置された排紙ローラ２２ａと、上側に配置された拍車ローラ２２ｂとを有する。排紙ローラ２２ａは、伝達機構（不図示）を介してＬＦモータ２１Ｍの動力が伝達されて回転する。拍車ローラ２２ｂは、排紙ローラ２２ａの回転に伴って連れ回る。排紙ローラ２２ａと拍車ローラ２２ｂとは、協働して用紙Ｐを上下方向Ｂから挟持し、用紙Ｐを排紙トレイ５０に搬送する。
【００２１】
装置筐体２は、図１に示すように、メインフレーム２ａと、メインフレーム２ａに対して可動となったシュートカバー２ｂとを含む。メインフレーム２ａは、給紙トレイ１０、搬送部２０、記録部３０及び排紙トレイ５０などが取り付けられるフレームであり、各部を位置決めするものである。なお、給紙トレイ１０は、メインフレーム２ａに対して、図１中左右方向Ａに着脱可能に構成されている。シュートカバー２ｂは、その下端部の回転軸２ｂ１を中心として、メインフレーム２ａに回動可能に支持されている。回転軸２ｂ１は、給紙ローラ１１によって搬送される用紙Ｐの給送方向Ｃ１（図１中矢印Ｃ１方向）と直交する方向に延在する。
【００２２】
また、装置筐体２は、図１に示すように、７つの搬送ガイド２３ａ〜２３ｇを有し、これら搬送ガイド２３ａ〜２３ｇ間に搬送経路Ｒが構成されている。搬送経路Ｒは、下方から上方に向かうに連れて右方へと湾曲する湾曲経路Ｒ１と、図１中左右方向Ａに沿って延在する直線経路Ｒ２とを有する。湾曲経路Ｒ１は、所定間隔で対向し内側に配置された搬送ガイド２３ａ及び外側に配置された搬送ガイド２３ｂ間に主に形成されている。搬送ガイド２３ａは、メインフレーム２ａに固定されている。搬送ガイド２３ｂは、装置筐体２のシュートカバー２ｂに形成されている。直線経路Ｒ２は、一対の搬送ガイド２３ｄ，２３ｅ間、及び、一対の搬送ガイド２３ｆ，２３ｇ間に形成されており、ローラ対２１からローラ対２２間に構成されている。一対の搬送ガイド２３ｄ，２３ｅは、ローラ対２１と記録部３０との間に配置されており、一対の搬送ガイド２３ｆ，２３ｇは、記録部３０とローラ対２２との間に配置されている。
【００２３】
また、シュートカバー２ｂは、経路構成位置と開放位置との間において回動可能に構成されている。経路構成位置は、図１に示すようにシュートカバー２ｂが配置される位置であって、搬送ガイド２３ａと搬送ガイド２３ｂとの間に湾曲経路Ｒ１が構成される位置である。開放位置は、シュートカバー２ｂが経路構成位置から回転軸２ｂ１を中心として左方に回動し湾曲経路Ｒ１を装置筐体２の外部に開放可能な位置である。シュートカバー２ｂは、湾曲経路Ｒ１を精度良く構成するため、経路構成位置においては、メインフレーム２ａの係止部（不図示）により位置決めされる。
【００２４】
搬送ガイド２３ｃが、図１に示すように、搬送ガイド２３ａの上方に配置されている。そして、湾曲経路Ｒ１の下流端部が、搬送ガイド２３ａと搬送ガイド２３ｃとで構成されている。また、湾曲経路Ｒ１の下流端部には、経路構成位置に位置付けられたシュートカバー２ｂの上面と搬送ガイド２３ｃとで構成された接続経路Ｒ３が接続されている。
【００２５】
給送装置６０は、図１に示すように、装置筐体２に固定され、接続経路Ｒ３を介して搬送経路Ｒの途中部位（湾曲経路Ｒ１の下流端部）から搬送経路Ｒに用紙Ｐを給送するものである。給送装置６０は、複数の用紙Ｐを支持するための第１支持部６１及び第２支持部６２と、用紙Ｐを給送方向Ｃ２（図１中矢印Ｃ２方向）に給送する給送部６３と、規制部材６６と、移動機構６７（図４参照）とを含む。第１支持部６１及び第２支持部６２は、略Ｌ字断面形状を有するように、一体的に形成され、メインフレーム２ａに固定されている。第１支持部６１は、積層された複数の用紙Ｐを積層方向下方から支持するための第１支持面６１ａを有している。
【００２６】
第１支持面６１ａは、図１に示すように、右方（接続経路Ｒ３側）が左方よりも下方に位置するように傾斜しており、複数の用紙Ｐを傾かせた状態で支持する。また、第１支持面６１ａは、図２に示すように、平面６１ａ１と、平面６１ａ１上に島状に形成された一対の突出部６１ｂの傾斜面６１ａ２とで構成されている。一対の突出部６１ｂは、幅方向Ｄ（図２中左右方向）において、互いに離隔して配置されており、平面６１ａ１の中心を通り幅方向Ｄに直交する方向に延在する中心線Ｌに対して線対称に配置されている。また、一対の突出部６１ｂは、幅方向Ｄに沿って長尺に形成されており、その厚みが外側から内側に向かって薄くなっている。つまり、各突出部６１ｂの上面である傾斜面６１ａ２は、幅方向Ｄにおいて、内側に向かうに連れて平面６１ａ１に近づくように傾斜している。このような平面６１ａ１及び一対の傾斜面６１ａ２から構成される第１支持面６１ａは、幅方向Ｄにおいて、第１支持面６１ａ上に積載された用紙Ｐの中央が両端よりも下方（すなわち、平面６１ａ１）に近づいて湾曲するように構成されている。
【００２７】
第２支持部６２は、第１支持部６１の下端部から図１中右方に向かって延在して形成されており、ともに平坦な第２支持面６２ａと案内面６２ｂとを有している。第２支持面６２ａは、第１支持面６１ａと案内面６２ｂとの間に形成されている。つまり、第１支持面６１ａ、第２支持面６２ａ及び案内面６２ｂは、給送方向Ｃ２に沿って順に配置され、連続して繋がっている。第２支持面６２ａは、第１支持面６１ａに支持された複数の用紙Ｐの給送方向Ｃ２の下流端部（用紙Ｐの前端）と当接しつつ用紙Ｐを支持する。案内面６２ｂは、給送部６３によって給送された用紙Ｐを接続経路Ｒ３へと案内する。第２支持面６２ａは、図３（ａ）に示すように、第１支持面６１ａの平面６１ａ１と第２支持面６２ａとがなす鈍角θ１が第１支持面６１ａの平面６１ａ１と案内面６２ｂとがなす鈍角θ２よりも大きくなるように傾斜している。また、第２支持面６２ａは、給送方向Ｃ２において、下流側端部が上流側端部よりも下方となるように傾斜している。また、案内面６２ｂは、給送方向Ｃ２において、下流側端部が上流側端部よりも上方となるように傾斜しており、後述の分離部６９と協働して重送する用紙Ｐを分離しやすい傾斜に設定されている。
【００２８】
第２支持部６２の案内面６２ｂには、図２及び図３に示すように、分離部６９が設けられている。分離部６９は、給送部６３によって給送される用紙Ｐの前端部分の裏側に当接して用紙Ｐに所定の搬送抵抗（用紙Ｐがジャムしない程度の搬送抵抗）を付与し、用紙Ｐが重送したときに用紙Ｐを分離させるためのものである。本実施形態における分離部６９は、案内面６２ｂにおける摩擦抵抗よりも高い高摩擦部材から構成されているが、用紙Ｐに所定の搬送抵抗を付与することが可能であれば、どのような構成であってもよい。分離部６９は、例えば、案内面６２ｂから若干上方に突出した位置と案内面６２ｂから突出しない位置に変位可能に構成されていてもよい。また、分離部６９は、どのような材質から構成されていてもよい。分離部６９は、図２に示すように、案内面６２ｂの幅方向Ｄの中央に配置されている。また、分離部６９は、図３（ａ）に示すように、給送方向Ｃ２において、後述の規制位置に配置された規制部材６６の当接面６６ａ１と第２支持面６２ａとの交点Ｇよりも下流に配置されている。
【００２９】
規制部材６６は、図２及び図３（ａ）に示すように、一方向に延在する長尺な一対の角柱部材６６ａからなる。一対の角柱部材６６ａは、図２に示すように、第２支持部６２に形成された一対の溝６２ｃに配置されている。一対の溝６２ｃは、案内面６２ｂに沿って図１中左右方向Ａに延在しており、幅方向Ｄにおいて分離部６９を挟む位置に配置されている。一対の溝６２ｃは、その開口が案内面６２ｂに形成されており、各角柱部材６６ａの上面であって用紙Ｐと当接可能な当接面６６ａ１が当該開口から出入り可能に構成されている。より詳細には、規制部材６６の一対の角柱部材６６ａは、図３中左側端部において、第２支持部６２に回動可能に支持されており、図３（ａ）に示すように、角柱部材６６ａの延在方向の中央よりも給送方向Ｃ２の下流側部分の当接面６６ａ１が溝６２ｃの開口から上方に突出した規制位置と、図３（ｂ）に示すように当該角柱部材６６ａの当接面６６ａ１が案内面６２ｂよりも上方に突出しない退避位置との間において移動可能に構成されている。規制位置では、図３（ａ）に示すように、案内面６２ｂよりも上方に突出した当接面６６ａ１と第１支持面６１ａ（平面６１ａ１）とがなす鈍角θ３が、案内面６２ｂと第１支持面６１ａとがなす鈍角θ２よりも小さくなり、用紙Ｐの給送方向Ｃ２への移動が規制される。一方、退避位置では、図３（ｂ）に示すように、当接面６６ａ１の案内面６２ｂよりも上方への突出がなくなるので、用紙Ｐの給送方向Ｃ２への移動規制が解除される。
【００３０】
移動機構６７は、給送モータ６３Ｍの駆動力により、規制部材６６の一対の角柱部材６６ａを移動させるものである。つまり、移動機構６７は、第２支持部６２に回動可能に支持された各角柱部材６６ａを回動させるものである。より詳細には、移動機構６７は、複数のギアなどの噛み合わせなどで構成された動力伝達機構であり、給送ローラ６４を正回転させる際の給送モータ６３Ｍの回転方向の回転力（駆動力）により、規制部材６６を規制位置から退避位置に移動させるように構成されている。また、移動機構６７は、給送ローラ６４を逆回転させる際の給送モータ６３Ｍの回転方向の回転力（駆動力）により、規制部材６６を退避位置から規制位置に移動させるように構成されている。なお、移動機構６７は、給送モータ６３Ｍの駆動力により、規制部材６６を移動させることが可能な構成であれば、どのような構成であってもよい。また、移動機構６７は、給送モータ６３Ｍ以外の駆動源を用いて、制御装置１００の制御により、規制部材６６を規制位置と退避位置との間において選択的に移動させてもよい。この場合、給送部６３で用紙Ｐを給送する前に、制御装置１００が、規制部材６６を退避位置に配置されるように、駆動源を制御すればよい。
【００３１】
給送部６３は、第１支持面６１ａで支持された複数の用紙Ｐのうち最上層の用紙Ｐと接触するように配置された給送ローラ６４と、アーム６５とを含む。給送ローラ６４は、アーム６５の先端に軸支されている。アーム６５は、支軸６５ａに回動自在に支持され、バネなどにより付勢されて給送ローラ６４が第１支持面６１ａに近づく方向へと回動されている。給送ローラ６４は、伝達機構（不図示）を介して給送モータ６３Ｍ（図４参照）の動力が伝達されて正回転し、第１支持面６１ａ及び第２支持面６２ａで支持された用紙Ｐが、接続経路Ｒ３を介して搬送経路Ｒへと給送される。
【００３２】
図４に示すように、制御装置１００は、ＣＰＵ（Central Processing Unit）、ＲＯＭ（Read Only Memory）、ＲＡＭ（Random Access Memory）、ＡＳＩＣ（Application Specific Integrated Circuit）などを含み、これらが協働して、ＡＳＦモータ１３Ｍ、ＬＦモータ２１Ｍ、記録部３０、給送モータ６３Ｍ等の動作を制御する。例えば、制御装置１００は、ＰＣから送信された記録指令に基づいて、給送装置６０から用紙Ｐを給送する場合、給送ローラ６４を正回転（用紙Ｐを給送方向Ｃ２に給送する回転方向）させるように給送モータ６３Ｍを制御する。このとき、移動機構６７により、規制部材６６が規制位置から退避位置に移動し用紙Ｐを給送方向Ｃ２に給送可能となり、給送ローラ６４と接触する用紙Ｐが給送方向Ｃ２に給送される。また、このとき、制御装置１００は、ＬＦモータ２１Ｍ、記録部３０も制御し、用紙Ｐを直線経路Ｒ２で搬送しつつ用紙Ｐに画像などを記録させる記録動作が行われる。なお、制御装置１００は、今回給送する用紙Ｐをすべて給送ローラ６４で送り出し、最後に給送される用紙Ｐの後端が給送ローラ６４を抜けた後に、給送ローラ６４を逆回転させるように給送モータ６３Ｍを制御する。これにより、規制部材６６が移動機構６７により、退避位置から規制位置に移動し、用紙Ｐの給送方向Ｃ２への移動が規制される。
【００３３】
以上に述べたように、本実施形態のプリンタ１及び給送装置６０によると、第１支持面６１ａと第２支持面６２ａとでなす鈍角θ１が比較的大きいため、これら支持面６１ａ，６２ａで支持される用紙Ｐと第２支持面６２ａとでなす鋭角θ４（図３（ｂ）参照）が小さくなる。用紙Ｐは第１支持面６１ａに平行に支持されているため、鋭角θ４は、１８０°から鈍角θ１を差し引いた角度にほぼ等しい。例えば、第１支持面６１ａと案内面６２ｂとの間に第２支持面６２ａを設けず、第２支持面６２ａに代えて、案内面６２ｂを第１支持面６１ａまで延長させた部分を採用した場合、第１支持面６１ａと平行な用紙Ｐと案内面６２ｂとでなす鋭角θ５が比較的大きくなる。鋭角θ５は１８０°から鈍角θ２を差し引いた角度にほぼ等しく、鋭角θ４よりも大きくなる。これは、鈍角θ２が鈍角θ１よりも小さいからである。このように鈍角θ１が大きくなることで、鋭角θ４が小さくなり、ジャムが生じにくくなる。つまり、用紙Ｐとして、例えば、複数のラベル紙が給送装置６０にセットされ、第１支持面６１ａに支持されたラベル紙の糊が第２支持面６２ａに付着したとしても、給送されるラベル紙に対する摩擦抵抗が小さくなって付着した糊をラベル紙が乗り越えやすくなり、ジャムが生じるのを抑制することが可能となる。
【００３４】
また、第２支持面６２ａが、給送方向Ｃ２において、下流側端部が上流側端部よりも下方となるように傾斜しているため、第２支持面６２ａに糊が付着していても、当該糊をラベル紙などの用紙Ｐが乗り越えやすくなり、ジャムが生じるのをより抑制することが可能となる。
【００３５】
また、規制部材６６が設けられていることで、第１支持面６１ａに支持された複数の用紙Ｐが第２支持面６２ａから案内面６２ｂに向かってずり落ちるのを抑制することが可能となる。
【００３６】
また、分離部６９が、幅方向Ｄにおいて、案内面６２ｂの中央に配置されているため、用紙Ｐの重送を効果的に抑制することが可能となる。さらに、第１支持面６１ａが、幅方向Ｄにおいて、積層された用紙Ｐの中央が両端よりも下方に近づいて湾曲するように構成されている。これにより、給送された用紙Ｐの幅方向Ｄの中央が分離部６９に当接しやすくなって、用紙Ｐの重送をより一層効果的に抑制することが可能となる。
【００３７】
以上、本発明の好適な実施の形態について説明したが、本発明は上述の実施の形態に限られるものではなく、特許請求の範囲に記載した限りにおいて様々な変更が可能なものである。例えば、上述の実施形態における第２支持面６２ａは、給送方向Ｃ２において、下流側端部が上流側端部よりも下方となるように傾斜しているが、第２支持面６２ａは、鈍角θ１が鈍角θ２よりも大きければ、水平な面であってもよい。
【００３８】
規制部材６６や移動機構６７も設けられていなくてもよい。また、第１支持面６１ａは、平面６１ａ１だけから構成されていてもよい。さらに、第１支持面６１ａは、第１支持面６１ａ上に積載された用紙Ｐの中央が両端よりも下方に近づいて湾曲するように構成されておれば、幅方向Ｄの中央が下方に凹むような、１つの湾曲面や２つの傾斜平面が繋がって形成された屈曲面だけから構成されていてもよい。また、第１支持面６１ａは、平面６１ａ１だけから構成されていてもよい。つまり、第１支持面６１ａが用紙Ｐを湾曲するように構成されていなくてもよい。
【００３９】
また、記録部３０は、インクジェット式、サーマル式、レーザー式等であってよい。本発明は、プリンタに限定されず、ファクシミリ、コピー機、複合機等にも適用可能である。記録媒体は、用紙に限定されず、ラベル紙等であってもよい。
【符号の説明】
【００４０】
１  プリンタ（画像記録装置）
２  装置筐体
２０  搬送部
３０  記録部
６０  給送装置
６１ａ  第１支持面
６１ｂ  回転軸
６２ａ  第２支持面
６２ｂ  案内面
６３  給送部
６６  規制部材
６６ａ１  当接面
６７  移動機構
６９  分離部
Ｐ  用紙（記録媒体）
Ｒ  搬送経路
【図１】
2020055654.tif 000003
【図２】
2020055654.tif 000004
【図３】
2020055654.tif 000005
【図４】
2020055654.tif 000006